(57)【要約】      （修正有）【課題】透光性を有する装飾体を備えた墓石を提供する。【解決手段】墓石Ｓは、表面から裏面に貫通する貫通孔１１を有する本体１と、貫通孔１１内に設けられた透光性を有する装飾体と、貫通孔１１内であって貫通孔１１の前記裏面より前記表面に近い側に位置し、貫通孔１１を塞ぐように設けられた第１の透明強化ガラスと、貫通孔１１内であって貫通孔１１の前記表面より前記裏面に近い側に位置し、貫通孔１１を塞ぐように設けられた第２の透明強化ガラスとを備え、第１の透明強化ガラスと第２の透明強化ガラスとの間にステンドグラスが位置しているものである。【選択図】図１
0003195055.tif 000002
【実用新案登録請求の範囲】
【請求項１】
表面から裏面に貫通する貫通孔を有する本体と、
前記貫通孔内に設けられた透光性を有する装飾体と、
前記貫通孔内であって前記裏面より前記表面に近い側に位置し、前記貫通孔を塞ぐように設けられた第１の透明強化ガラスと、
前記貫通孔内であって前記表面より前記裏面に近い側に位置し、前記貫通孔を塞ぐように設けられた第２の透明強化ガラスとを備え、
前記第１の透明強化ガラスと前記第２の透明強化ガラスとの間に前記装飾体が位置している
ことを特徴とする墓石。
【請求項２】
表面から裏面に貫通する貫通孔を有する本体と、
前記貫通孔内に設けられた透光性を有する装飾体と、
この透光性を有する装飾体の表面に接触し、前記貫通孔内であって前記本体の裏面より前記本体の表面に近い側に位置し、前記貫通孔を塞ぐように設けられた第１の透明強化ガラスと、
この第１の透明強化ガラスと前記透光性を有する装飾体とを接着する第１の接着部材と、
前記透光性を有する装飾体の裏面に接触し、前記貫通孔内であって前記本体の表面より前記本体の裏面に近い側に位置し、前記貫通孔を塞ぐように設けられた第２の透明強化ガラスと、
この第２の透明強化ガラスと前記透光性を有する装飾体とを接着する第２の接着部材と、
を備えていることを特徴とする墓石。
【請求項３】
本体の表面側の面から没した位置に第１の透明強化ガラスが位置し、
貫通孔の壁部と前記第１の透明強化ガラスの外縁部とに亘って設けられた第１のシール部材で前記第１の透明強化ガラスを前記貫通孔の壁部に接合し、
前記本体の裏面側の面から没した位置に第２の透明強化ガラスが位置し、
前記貫通孔の壁部と前記第２の透明強化ガラスの外縁部とに亘って設けられた第２のシール部材で前記第２の透明強化ガラスを前記貫通孔の壁部に接合している
ことを特徴とする請求項１又は請求項２記載の墓石。
【請求項４】
本体の表面側の面と第１の透明強化ガラスの面とが略同一で、前記本体の表面側の貫通孔の縁部と前記第１の透明強化ガラスの外縁部との接合部が表面側シール部材でシールされ、
前記本体の裏面側の面と第２の透明強化ガラスの面とが略同一で、前記本体の裏面側の貫通孔の縁部と前記第２の透明強化ガラスの外縁部との接合部が裏面側シール部材でシールされている
ことを特徴とする請求項１又は請求項２記載の墓石。
【請求項５】
透光性を有する装飾体がステンドグラスである
ことを特徴とする請求項１又は請求項２又は請求項３又は請求項４記載の墓石。
【考案の詳細な説明】
【技術分野】
【０００１】
本考案は、墓石に係り、特に、透光性を有する装飾体を備えた墓石に関する。
【背景技術】
【０００２】
故人が製作した透光性を有する装飾体、例えば、ステンドグラスを墓石に備え付けたい場合がある。
【考案の概要】
【考案が解決しようとする課題】
【０００３】
かかる場合、墓石の表面を削って凹所を形成し、該凹所にステンドグラスを貼り付けるようにしており、ステンドグラスの裏面から光を取り入れることができず、ステンドグラスが曇って見え、ステンドグラスの良さが損なわれるという問題点があった。
【０００４】
本考案は、上記の問題点を考慮してなされた墓石を提供することを目的とする。
【課題を解決するための手段】
【０００５】
請求項１記載の墓石は、表面から裏面に貫通する貫通孔を有する本体と、前記貫通孔内に設けられた透光性を有する装飾体と、前記貫通孔内であって前記裏面より前記表面に近い側に位置し、前記貫通孔を塞ぐように設けられた第１の透明強化ガラスと、前記貫通孔内であって前記表面より前記裏面に近い側に位置し、前記貫通孔を塞ぐように設けられた第２の透明強化ガラスとを備え、前記第１の透明強化ガラスと前記第２の透明強化ガラスとの間に前記装飾体が位置しているものである。
【０００６】
また、請求項２記載の墓石は、表面から裏面に貫通する貫通孔を有する本体と、前記貫通孔内に設けられた透光性を有する装飾体と、この透光性を有する装飾体の表面に接触し、前記貫通孔内であって前記本体の裏面より前記本体の表面に近い側に位置し、前記貫通孔を塞ぐように設けられた第１の透明強化ガラスと、この第１の透明強化ガラスと前記透光性を有する装飾体とを接着する第１の接着部材と、前記透光性を有する装飾体の裏面に接触し、前記貫通孔内であって前記本体の表面より前記本体の裏面に近い側に位置し、前記貫通孔を塞ぐように設けられた第２の透明強化ガラスと、この第２の透明強化ガラスと前記透光性を有する装飾体とを接着する第２の接着部材と、を備えているものである。
【０００７】
また、請求項３記載の墓石は、請求項１又は請求項２記載の墓石において、本体の表面側の面から没した位置に第１の透明強化ガラスが位置し、貫通孔の壁部と前記第１の透明強化ガラスの外縁部とに亘って設けられた第１のシール部材で前記第１の透明強化ガラスを前記貫通孔の壁部に接合し、前記本体の裏面側の面から没した位置に第２の透明強化ガラスが位置し、前記貫通孔の壁部と前記第２の透明強化ガラスの外縁部とに亘って設けられた第２のシール部材で前記第２の透明強化ガラスを前記貫通孔の壁部に接合しているものである。
【０００８】
また、請求項４記載の墓石は、請求項１又は請求項２記載の墓石において、本体の表面側の面と第１の透明強化ガラスの面とが略同一で、前記本体の表面側の貫通孔の縁部と前記第１の透明強化ガラスの外縁部との接合部が表面側シール部材でシールされ、前記本体の裏面側の面と第２の透明強化ガラスの面とが略同一で、前記本体の裏面側の貫通孔の縁部と前記第２の透明強化ガラスの外縁部との接合部が裏面側シール部材でシールされているものである。
【０００９】
また、請求項５記載の墓石は、請求項１又は請求項２又は請求項３又は請求項４記載の墓石において、透光性を有する装飾体がステンドグラスである。
【考案の効果】
【００１０】
請求項１記載の墓石によれば、透光性を有する装飾体（例えば、ステンドグラス）を見る者の側と反対側から光を取り入れ、つまり、見る者の側に第１の透明強化ガラスが位置していれば、第２の透明強化ガラスを介して透光性を有する装飾体（例えば、ステンドグラス）に光を取り入れて、第１の透明強化ガラスを介して透光性を有する装飾体（例えば、ステンドガラス）に光による明るさを取り入れることができ、
しかも、第１の透明強化ガラス及び第２の透明強化ガラスにより、透光性を有する装飾体（例えば、ステンドグラス）を雨、風等からも、保護することができる。
【００１１】
また、請求項２記載の墓石によれば、透光性を有する装飾体（例えば、ステンドグラス）を見る者の側と反対側から光を取り入れ、つまり、見る者の側に第１の透明強化ガラスが位置していれば、第２の透明強化ガラスを介して透光性を有する装飾体（例えば、ステンドグラス）に光を取り入れて、第１の透明強化ガラスを介して透光性を有する装飾体（例えば、ステンドガラス）に光による明るさを取り入れることができ、
しかも、第１の透明強化ガラス及び第２の透明強化ガラスにより、透光性を有する装飾体（例えば、ステンドグラス）を雨、風等からも、保護することができ、
更に、第１の透明強化ガラスと透光性を有する装飾体（例えば、ステンドグラス）とは、第１の接着部材により、第２の透明強化ガラスと透光性を有する装飾体（例えば、ステンドグラス）とは、第２の接着部材により、それぞれ接着され、透光性を有する装飾体（例えば、ステンドグラス）を気密状態にすることにより、透光性を有する装飾体（例えば、ステンドグラス）が結露等によって曇るのを防ぐことができる。
【００１２】
また、請求項３記載の墓石によれば、上述した請求項１又は請求項２記載の考案の効果に加え、本体の表面側の面から没した位置に第１の透明強化ガラスが位置し、貫通孔の壁部と第１の透明強化ガラスの外縁部とに亘って設けられた第１のシール部材で第１の透明強化ガラスを貫通孔の壁部に接合し、本体の裏面側の面から没した位置に第２の透明強化ガラスが位置し、貫通孔の壁部と第２の透明強化ガラスの外縁部とに亘って設けられた第２のシール部材で第２の透明強化ガラスを貫通孔の壁部に接合しているため、透光性を有する装飾体（例えば、ステンドグラス）への外気、雨水等の侵入を防いで、透光性を有する装飾体（例えば、ステンドグラス）が水に起因する結露等によって曇るのを防ぐことができる。
【００１３】
また、請求項４記載の墓石によれば、上述した請求項１又は請求項２記載の考案の効果に加え、本体の表面側の面と第１の透明強化ガラスの面とが略同一で、本体の表面側の貫通孔の縁部と第１の透明強化ガラスの外縁部との接合部が表面側シール部材でシールされ、本体の裏面側の面と第２の透明強化ガラスの面とが略同一で、本体の裏面側の貫通孔の縁部と第２の透明強化ガラスの外縁部との接合部が裏面側シール部材でシールされているため、透光性を有する装飾体に外気、雨水等が侵入することを防いで、透光性を有する装飾体（例えば、ステンドグラス）が水に起因する結露等によって曇るのを防ぐことができる。
【図面の簡単な説明】
【００１４】
【図１】図１は、本考案の一実施例の墓石の概略的斜視図である。
【図２】図２は、図１の墓石の概略的断面図である。
【図３】図３は、本考案の他の実施例の墓石の概略的斜視図である。
【図４】図４は、図３の墓石の概略的断面図である。
【考案を実施するための形態】
【００１５】
本考案の一実施例の墓石を図面を参照して説明する。
図１及び図２に示すＳは墓のしるしに建てる石材製品である墓石で、墓石Ｓは、棹石、墓誌等を含むものであり、表面から裏面に貫通する貫通孔１１を有する本体１を有する。
【００１６】
図１に示す２は貫通孔１１内に設けられた透光性を有する装飾体２で、透光性を有する装飾体２は、例えば、ステンドグラスである。
また、貫通孔１１内であって貫通孔１１の本体１の裏面より本体１の表面に近い側に第１の透明強化ガラス３が位置し、第１の透明強化ガラス３は貫通孔１１を塞ぐように設けられている。
また、貫通孔１１内であって貫通孔１１の本体１の表面より本体１の裏面に近い側に第２の透明強化ガラス４が位置し、第２の透明強化ガラス４は貫通孔１１を塞ぐように設けられている。
そして、透光性を有する装飾体２は、第１の透明強化ガラス３と第２の透明強化ガラス４との間に位置している。
【００１７】
従って、上述した図１及び図２記載の墓石Ｓによれば、透光性を有する装飾体２（例えば、ステンドグラス）を見る者の側と反対側から光を取り入れ、つまり、見る者の側に第１の透明強化ガラス３が位置していれば、第２の透明強化ガラス４を介して透光性を有する装飾体２（例えば、ステンドグラス）に光を取り入れて、第１の透明強化ガラス３を介して透光性を有する装飾体２（例えば、ステンドガラス）に光による明るさを取り入れることができ、しかも、第１の透明強化ガラス３及び第２の透明強化ガラス４により、透光性を有する装飾体２（例えば、ステンドグラス）を雨、風等からも、保護することができる。
【００１８】
なお、装飾体２、第１の透明強化ガラス３、第２の透明強化ガラス４は、それぞれ離間して設けても良いが、望ましくは、図２及び図４に示すように、第１の透明強化ガラス３は透光性を有する装飾体２の表面に、第２の透明強化ガラス４は透光性を有する装飾体２の裏面に、それぞれ接触し、第１の透明強化ガラス３及び第２の透明強化ガラス４により装飾体２を挟持状態にする。
即ち、第１の透明強化ガラス３は、透光性を有する装飾体２の表面に接触し、貫通孔１１内であって貫通孔１１の裏面より貫通孔１１の表面に近い側に位置し、貫通孔１１を塞ぐように設けられ、第１の透明強化ガラス３と透光性を有する装飾体２の表面とを第１の接着部材（図示せず）により接着する。
また、第２の透明強化ガラス４は、透光性を有する装飾体２の裏面に接触し、貫通孔１１内であって貫通孔１１の表面より貫通孔１１の裏面に近い側に位置し、貫通孔１１を塞ぐように塞ぐように設けられ、第２の透明強化ガラス４と透光性を有する装飾体２の裏面とを第２の接着部材（図示せず）により接着する。
このように、第１の透明強化ガラス３と透光性を有する装飾体（例えば、ステンドグラス）２とは、第１の接着部材（図示せず）により、第２の透明強化ガラス４と透光性を有する装飾体（例えば、ステンドグラス）２とは、第２の接着部材（図示せず）により、それぞれ接着され、透光性を有する装飾体（例えば、ステンドグラス）２を気密状態にすることにより、透光性を有する装飾体（例えば、ステンドグラス）２が結露等によって曇るのを防ぐことができる。
【００１９】
また、本体１の厚みが棹石のように厚い場合、図１及び図２に示すように、第１の透明強化ガラス３を本体１の表面側の面から没した位置に、第２の透明強化ガラス４を本体１の裏面側の面から没した位置に、それぞれ位置させる。
このように、本体１の表面側の面から没した位置に第１の透明強化ガラス３が位置し、貫通孔１１の壁部と第１の透明強化ガラス３の外縁部とに亘って設けられた第１のシール部材５で第１の透明強化ガラス３を貫通孔１１の壁部に接合し、本体１の裏面側の面から没した位置に第２の透明強化ガラス４が位置し、貫通孔１１の壁部と第２の透明強化ガラス４の外縁部とに亘って設けられた第２のシール部材６で第２の透明強化ガラス４を貫通孔１１の壁部に接合されているため、透光性を有する装飾体（例えば、ステンドグラス）２への外気、雨水等の侵入を防いで、透光性を有する装飾体（例えば、ステンドグラス）２が水に起因する結露等によって曇るのを防ぐことができる。
【００２０】
また、図３及び図４に示すように、本体１の厚みが墓誌Ｓのように薄い場合、本体１の表面側の面と第１の透明強化ガラス３の面とが略同一で、本体１の表面側の貫通孔１１の縁部と第１の透明強化ガラス３の外縁部との接合部を表面側シール部材７でシールする。
また、本体１の裏面側の面と第２の透明強化ガラス４の面とが略同一で、本体１の裏面側の貫通孔１１の縁部と第２の透明強化ガラス４の外縁部との接合部を裏面側シール部材８でシールする。
このように、本体１の表面側の面と第１の透明強化ガラス３の面とが略同一で、本体１の表面側の貫通孔１１の縁部と第１の透明強化ガラス３の外縁部との接合部が表面側シール部材７でシールされ、本体１の裏面側の面と第２の透明強化ガラス４の面とが略同一で、本体１の裏面側の貫通孔１１の縁部と第２の透明強化ガラス４の外縁部との接合部が裏面側シール部材８でシールされているため、透光性を有する装飾体２に外気、雨水等が侵入することを防いで、透光性を有する装飾体（例えば、ステンドグラス）２が水に起因する結露等によって曇るのを防ぐことができる。
【符号の説明】
【００２１】
Ｓ      墓石（棹石、墓誌等）
１      本体
２      装飾体
３      第１の透明強化ガラス
４      第２の透明強化ガラス
１１    貫通孔
【図１】
0003195055.tif 000003
【図２】
0003195055.tif 000004
【図３】
0003195055.tif 000005
【図４】
0003195055.tif 000006